(57)【要約】【課題】  安価でコンパクトな構造で、電動機片持ち支持型ポンプの振動振幅を抑制する。【解決手段】  ポンプのケーシングにポンプ駆動用の電動機の一端が固定され、前記電動機の他端が自由に取り付けられている電動機片持ち支持型のポンプであって、前記ポンプのケーシングを据え付けるベースと、前記ベースから上方に伸びて前記電動機の他端を支える支持部材と、前記支持部材と前記電動機との間に設けた減衰部材と、を備え、前記減衰部材は、上下方向のばね定数が水平方向のばね定数より小さいことを特徴とする。【選択図】  図１
2019002381.tif 000002
【特許請求の範囲】
【請求項１】
ポンプのケーシングにポンプ駆動用の電動機の一端が固定され、前記電動機の他端が自由に取り付けられている電動機片持ち支持型のポンプであって、
前記ポンプのケーシングを据え付けるベースと、
前記ベースから上方に伸びて前記電動機の他端を支える支持部材と、
前記支持部材と前記電動機との間に設けた減衰部材と、を備え、
前記減衰部材は、上下方向のばね定数が水平方向のばね定数より小さいことを特徴とするポンプ。
【請求項２】
請求項１に記載のポンプにおいて、
前記減衰部材は、上下方向の共振周波数が水平方向の共振周波数よりも小さいことを特徴とするポンプ。
【請求項３】
請求項１に記載のポンプにおいて、
前記減衰部材は、上下方向と水平方向の共振周波数において減衰効果を備えることを特徴とするポンプ。
【請求項４】
請求項１に記載のポンプにおいて、
前記減衰部材の上下方向および水平方向の共振周波数は、それぞれ片持ち支持された前記電動機の上下方向および水平方向の共振周波数の１／√２以下であることを特徴とするポンプ。
【請求項５】
請求項１に記載のポンプにおいて、
前記減衰部材が、上下方向のばね定数が水平方向のばね定数より小さい単一部材からなることを特徴とするポンプ。
【請求項６】
請求項１に記載のポンプにおいて、
前記減衰部材が、ばね定数の異なる材料を積層した積層部材からなることを特徴とするポンプ。
【請求項７】
請求項１に記載のポンプにおいて、
前記減衰部材が、前記電動機に接するように配置されていることを特徴とするポンプ。
【請求項８】
請求項７に記載のポンプにおいて、
前記減衰部材は、保持部材により保持されていることを特徴とするポンプ。
【請求項９】
請求項８に記載のポンプにおいて、
前記保持部材は、部分円形或いはＶ字状であることを特徴とするポンプ。
【請求項１０】
請求項１に記載のポンプにおいて、
前記減衰部材と前記電動機の間に電動機の保持部を備えることを特徴とするポンプ。
【請求項１１】
請求項１０に記載のポンプにおいて、
前記電動機の保持部は、部分円形或いはＶ字状であることを特徴とするポンプ。
【請求項１２】
請求項１に記載のポンプにおいて、
前記減衰部材が、複数個、前記電動機の回転軸に対して左右に配置されていることを特徴とするポンプ。
【請求項１３】
請求項１２に記載のポンプにおいて、
左右に配置された前記減衰部材の電動機接触部が、略Ｖ字状を形成していることを特徴とするポンプ。
【請求項１４】
請求項１に記載のポンプにおいて、
前記電動機に制御機器が一体に取り付けられていることを特徴とするポンプ。
【発明の詳細な説明】
【技術分野】
【０００１】
本発明は、ポンプの振動振幅を減少させる制振技術に関する。
【背景技術】
【０００２】
ベースの上に据え付けられたポンプ羽根車を内包するケーシングに羽根車を駆動する電動機がフランジやブラケット等を介して固定され、固定側とは反対側の電動機他端が固定されていない電動機片持ち支持構造のポンプの場合、ケーシングを固定端とした電動機他端の振動振幅が問題となる。従来の電動機の運転周波数は電源周波数の５０Ｈｚまたは６０Ｈｚと極数により決定して運転されており、電動機他端の振動の共振周波数が運転周波数を避けた周波数になるように構造設計されてきた。
【０００３】
共振振動をしていなくても運転時の電動機他端の振動振幅は固定端との距離が長い程大きくなるので問題となることもあり、振動振幅を抑制するのに電動機他端の下側をボルトやその他の部材のような支持部材で支持し、運転時の上下方向の振動振幅を抑えることにしている。支持部材での支持は上下１方向で、支持部材と電動機は固定されずにある押しつけ力をもって接触させ、支持部材の強度に合わせた拘束構造となっている。
【０００４】
共振を避けるための手段として共振周波数を運転周波数よりも高くすることがあるが、構成部品のポンプベース、ポンプケーシング、電動機を取り付けるフランジ等の接続部位、電動機のハウジング、の剛性を上げて各々の固有振動数を上げる必要があり、それにより全体質量の増加、全体形状の大型化、製作コストの増加となる上に、質量増加により固有振動数が下がるという短所もある。電動機自身に取付脚を設けて片持ち支持型を止める方法もあるが、その際にはポンプケーシングとの精密な位置調整やベースの大型化という問題も発生し、製作コストやメンテナンス性の低下となる。
【０００５】
また、共振周波数に特に大きな影響があるのは電動機の質量で、あるポンプで共振周波数が運転周波数を上回っていても、電動機出力を大きくし質量が増すと他端の固有振動数が低下して運転周波数に近くなると共振振動を引き起こす。これは、ポンプには流量が多くなると出力も大きくなる特性を利用して、同じベース、羽根車、ケーシングを用いて電動機のみの変更で広い範囲の流量に対応するように標準化しているためである。しかし、上記のような電動機質量に対して固有振動数変化が発生すると、共振振動を起こす流量、出力の電動機の場合には大幅な製品構造変更が必要となる。新規製品以外でも電動機更新の場合、電動機のモデルチェンジにより質量や剛性が変わり電動機他端の固有振動数が変わっており、運転周波数に近づくと共振振動が発生する。
【０００６】
高効率電動機の採用により、同じ出力でも電動機の質量が重くなり共振周波数が下がって、電動機更新時や新製品開発時に共振を引き起こす場合もある。高効率電動機は高効率化の実現のため、回転子や固定子のコアを大型化して内部損失の低減を図り、コイル巻線のサイズを太くして電気抵抗を減らしているので、質量が増加している。
【０００７】
さらに、近年の省エネルギーの要求からポンプには水の使用量に合わせて水量を変える最適運転を求められ、水量の増減は回転速度に比例するため、運転周波数の制御で行われるようになり、今までの単一回転周波数運転から広範囲の回転周波数変化をする運転をするので、共振周波数を回避した運転が難しくなっている。そして、ポンプのコンパクト化を目的に、前記運転周波数を変化させる制御機器を電動機と一体型にすることになり、電動機の質量がさらに増大し共振周波数が低下している。
【０００８】
特許文献１には、片持ち支持部に無理な力を与えることなく、振動を抑制することができる圧縮機の提供を課題として、「電動機本体１１の軸方向における一端部１３Ａを固定し他端部１３Ｂを自由にして支持する片持ち支持部２１及び電動機本体１１の他端部１３Ｂを支持する支持面２４を有する台座部２２を備える基台２０と、電動機本体１１と台座部２２との支持面２４に平行で且つ軸方向と直交する直交方向への相対移動を拘束し、電動機本体１１と台座部２２との支持面２４に対し垂直な垂直方向への相対移動を可能とするサポート部材３０と、を有する、電動機の支持構造Ａを採用する。」（要約参照）と記載されている。
【先行技術文献】
【特許文献】
【０００９】
【特許文献１】特開２０１４−４３８１０号公報
【発明の概要】
【発明が解決しようとする課題】
【００１０】
上記「背景技術」で述べたように、従来の電動機片持ち支持型のポンプでは共振周波数は、電源周波数により決まる運転周波数を回避した構造とすればよかったが、ポンプ標準化によるモータ質量の多様化、電動機更新時の電動機モデルチェンジによる質量、剛性変化、電動機の高効率化による質量増加、広範囲の運転周波数の要求、制御機器一体化による質量増加、と共振振動を回避した電動機片持ち支持型のポンプの開発が難しくなっている。
【００１１】
特許文献１の電動機の支持構造は、電動機本体の水平方向の相対移動を拘束し、垂直方向の相対移動を可能として、片持ち支持部に無理な力を与えることなく振動を抑制するものであり、共振振動を抑制することは考慮されていない。
【００１２】
本発明は、安価でコンパクトな構造で、電動機片持ち支持型ポンプの振動振幅を抑制することを目的とする。
【課題を解決するための手段】
【００１３】
上記課題を解決するための、本発明のポンプの一例を挙げれば、ポンプのケーシングにポンプ駆動用の電動機の一端が固定され、前記電動機の他端が自由に取り付けられている電動機片持ち支持型のポンプであって、前記ポンプのケーシングを据え付けるベースと、前記ベースから上方に伸びて前記電動機の他端を支える支持部材と、前記支持部材と前記電動機との間に設けた減衰部材と、を備え、前記減衰部材は、上下方向のばね定数が水平方向のばね定数より小さいことを特徴とする。
【発明の効果】
【００１４】
本発明によれば、安価でコンパクトな構造で、電動機片持ち支持型ポンプの振動振幅を抑制することができる。
【図面の簡単な説明】
【００１５】
【図１】本発明の実施例１の電動機片持ち支持型のポンプを示す図である。
【図２】本発明の実施例２の電動機片持ち支持型のポンプを示す図である。
【図３】本発明の実施例３の電動機片持ち支持型のポンプを示す図である。
【図４】本発明の実施例４の電動機片持ち支持型のポンプを示す図である。
【図５】本発明の実施例５の電動機片持ち支持型のポンプを示す図である。
【図６】本発明の実施例６の電動機片持ち支持型のポンプを示す図である。
【図７】電動機の下半分に大型で剛性の高い支持部材を設けた、従来の電動機片持ち支持型のポンプを示す図である。
【図８】電動機の運転周波数と上下方向および水平方向の振動振幅の関係を示す図である。
【図９】減衰部材を２層で構成した場合の、減衰部材全体のばね定数を示す説明図である。
【図１０】本発明による、上下方向および水平方向の振動振幅の低下を示す説明図である。
【発明を実施するための形態】
【００１６】
本発明の実施例を説明する前に、本発明を説明する。
【００１７】
上記「背景技術」で述べた、広範囲に運転周波数を変化させる制御機器と電動機が一体型となりポンプケーシングに固定されている電動機片持ち支持型のポンプについて、ポンプケーシングを固定端として電動機他端に発生する共振振動の挙動を測定すると、ある周波数で上下方向の振動が現れ、次いでそれよりも高い周波数で回転軸に垂直な水平方向の振動振幅が発生していることが分かった。
【００１８】
図８は、この運転周波数変化と振動振幅の関係を示す図である。図８（ａ）に示す上下方向の振動振幅は上下方向共振周波数ｆ１で共振し、図８（ｂ）に示す回転軸に垂直な水平方向の振動振幅は水平方向共振周波数ｆ２で共振する。そして、上下方向共振周波数ｆ１よりも水平方向共振周波数ｆ２が大となる、ｆ１＜ｆ２の関係にある。
【００１９】
このような水平方向と上下方向の２方向での２つの共振周波数を運転周波数範囲より大きくして回避するためには、電動機他端の支持部材の剛性を上げ、上下方向と水平方向の２方向の固有振動数を上げるような構造にする必要があり、例えば図７に示すような電動機下半分を支える構造となる。
【００２０】
図７において、図７（ａ）は電動機片持ち支持型ポンプの正面図、図７（ｂ）は右側面図である。ベース１３の上に据え付けられた、ポンプ羽根車１１を内包するケーシング１２に羽根車１１を駆動する電動機２１がフランジやブラケット２２等を介して、固定部またはポンプケーシング接触部２４で固定されている。電動機２１には端子箱２３が一体に固定されており、電動機の他端２５側は下半分が支持部材３１の電動機接触部３２で支持されている。支持部材３１と電動機２１を固定するとポンプケーシング１２との精密な位置調整が必要になるため、支持部材３１と電動機２１の接触面は弾力性のある部材３３とし、支持部材３１は２方向の剛性を上げるために大型化している。そして、ケーシング１２と支持部材３１を載せるベース１３も大型化し、設置面積も大きくなっている。このように２方向の共振振動を回避しようとすると支持部材３１は大型かつ高価な構造となってしまう。
【００２１】
共振振動が発生した時の解決方法としては、共振周波数での運転を避ける、共振時の振動振幅を減衰させて小さくする、加振源のエネルギーを小さくする、という方法が考えられる。上記の通り、共振周波数を避けた構造は非常に高価な複雑な構造となり、また、加振源のエネルギー低減は電動機やポンプのアンバランスやトルクに起因するため、低減するのは難しい。そこで、共振時の振動振幅の減衰が有効な手段となる。本発明では共振時の振動振幅を減衰させるために、片持ち支持型ポンプの電動機の他端を支える支持部材の固有振動数を共振周波数を減衰させる周波数に合わせたものにすることで実現する。
【００２２】
一般的に振動振幅を減衰部材を使用して減衰させるメカニズムとしては、減衰させたい周波数ｆと減衰部材の振動方向の固有振動数ｆoとの比ｆ/ｆoが√2以上とするときに振動振幅の減衰は大きくなる。減衰部材の固有振動数ｆoは部材のばね定数または弾性係数と形状、電動機の質量により決まってくる。部材の固有振動数ｆ０［Hz］は、ばね定数をＫ［N/m］、質量をＭ［ｋｇ］とすると、次式で表される。
【００２３】
【数１】
2019002381.tif 000003
【００２４】
上記のように、電動機の共振周波数は上下方向と水平方向の２方向の２種類の周波数で、上下方向の共振周波数ｆ１が低く、水平方向の共振周波数ｆ２がそれよりも高い周波数で出現する。そのため、支持部材のばね定数は２方向で異なり、上下方向よりも水平方向が高くなる材料が必要となる。このようなばね定数を実現するには、単一材料で上下方向と水平方向のばね定数の異なる材料を用いるか、ばね定数の異なる材料を積層して上記の２方向のばね定数の関係を満たす支持部材を構成する。
【００２５】
単一材料で構成する場合には、例えば、ゴムや樹脂などの材質でできた直方体に一方向に貫通孔を形成してばね定数が上下と左右で異なるようにした部材を減衰部材として用いてもよいし、結晶構造によってばね定数が上下左右で異なる材質の部材を減衰部材として用いてもよい。
【００２６】
２層以上に積層する場合には、例えば金属とゴム、あるいはゴムと樹脂などのように各層が異なるばね定数を持つ部材を積層すればよい。図９に、ばね定数が異なる２つの減衰部材Ａ３４１および減衰部材Ｂ３４２を積層した場合の、上下および水平の２方向の全体のばね定数を示す。図において、
KHA…減衰部材Ａの水平方向ばね定数、KVA…減衰部材Ａの上下方向ばね定数
KHB…減衰部材Ｂの水平方向ばね定数、KVB…減衰部材Ｂの上下方向ばね定数
KH  …減衰部材全体の水平方向ばね定数、KV  …減衰部材全体の上下方向ばね定数
とすると、減衰部材Ａおよび減衰部材Ｂと全体のばね定数の関係は次式で表される。
【００２７】
【数２】
2019002381.tif 000004
【００２８】
減衰部材全体の上下方向のばね定数ＫＶと水平方向のばね定数ＫＨとが所望の値となるように、そして数式１の関係式から上下方向の共振周波数ｆ０１と水平方向の共振周波数ｆ０２とが所望の値となるように、減衰部材Ａおよび減衰部材Ｂの材質を選定すればよい。
【００２９】
なお、高減衰機能のある材料を使用すれば、振動数比による減衰効果にさらに加算した減衰効果となる。
【００３０】
また、２方向での減衰効果を得るための支持として、上下方向は自重方向なので接触面となるが、水平方向の支持は材料の摩擦係数を利用する方法となる。また、支持部が電動機に水平方向でも当たるようにクサビ型や半円筒型にして、水平方向に電動機の保持ができるようにすることが考えられる。
【００３１】
支持部材全体を減衰効果のある材料にすることもできるが、電動機と支持部材の間に上記ばね定数の減衰部材を配したり、電動機を２方向保持する架台の根本や下側に配することで、支持部材の形状をばね定数にこだわらないものにすることができる。
【００３２】
以下に本発明の実施例を図面を用いて説明する。なお、実施例を説明するための各図において、同一の構成要素にはなるべく同一の名称、符号を付して、その繰り返しの説明を省略する。
【実施例１】
【００３３】
図１に本発明の実施例１のポンプを示し、図１（ａ）は実施例１の電動機片持ち支持型ポンプの正面図、図１（ｂ）は右側面図である。
【００３４】
ベース１３の上に、ポンプ羽根車１１を内包するケーシング１２が据え付けられている。そして、羽根車１１を駆動する電動機２１が、フランジやブラケット２２等を介して、ケーシング１２の固定部２４に取り付けられて、片持ち支持されている。電動機２１には制御機器２６が一体に固定されている。電動機を固定する固定部２４と反対の他端側には、ベース１３から上方に伸びて電動機２１の他端２５を支える支持部材３１が設けられている。そして、支持部材３１と電動機２１の間には、上下方向と水平方向の共振周波数において減衰効果を持つ減衰部材３４が配されている。減衰部材３１のばね定数は、上下方向と水平方向とで異なり、上下方向のばね定数が水平方向のばね定数よりも小さいものである。
【００３５】
ばね定数と共振周波数の関係は、一般に数式１で与えられるので、上下方向のばね定数ＫＶが水平方向のばね定数ＫＨより小さい減衰部材を電動機２１と支持部材３１の間に設けることにより、減衰部材の上下方向の共振周波数ｆ０１を水平方向の共振周波数ｆ０２よりも小さくできる。減衰部材の上下方向の共振周波数ｆ０１および水平方向の共振周波数ｆ０２は、それぞれ電動機の上下方向共振周波数ｆ１および水平方向共振周波数ｆ２から１／√２以下とするのが好ましい。これにより、片持ち支持型ポンプの電動機の上下方向共振周波数ｆ１および水平方向共振周波数ｆ２から減衰部材のそれぞれの共振周波数ｆ０１およびｆ０２を離すことができ、共振時の振動振幅を良好に減衰させることができる。
【００３６】
この関係を図１０に示す。上下方向の共振周波数ｆ０１および水平方向の共振周波数ｆ０２を有する減衰部材を取り付けることにより、片持ち支持型ポンプの電動機の上下方向共振周波数ｆ１および水平方向共振周波数ｆ２における振動振幅が図の点線に示すようにそれぞれ低下し、振動振幅を減衰させることができる。
【００３７】
実施例１では、単一材料で上下方向および水平方向のばね定数の異なる減衰部材を用いており、減衰部材の材料としては、例えば、ゴムや樹脂などの材質でできた直方体に一方向に貫通孔を形成してばね定数が上下と左右で異なるようにした部材を用いてもよいし、結晶構造によってばね定数が上下と左右で異なる材質の部材を用いてもよい。
【００３８】
本実施例では、２方向での減衰効果を得るための支持として、上下方向は自重方向なので接触面となるが、水平方向の支持は材料の摩擦係数を利用する方法となる。
【００３９】
なお、図１では、支持部材３１の幅（径）よりも減衰部材３４の幅（径）が大きくなるように記載しているが、同じ幅（径）であってもよい。
【００４０】
本実施例によれば、電動機の他端を支える支持部材と電動機との間に減衰部材を設け、減衰部材は、上下方向のばね定数が水平方向のばね定数より小さいものとしたので、安価でコンパクトな構造で、電動機片持ち支持型ポンプの振動振幅を抑制することができる。
【実施例２】
【００４１】
図２に本発明の実施例２のポンプを示し、図２（ａ）は実施例２の電動機片持ち支持型ポンプの正面図、図２（ｂ）は右側面図である。実施例２は、減衰部材を、ばね定数の異なる材料を積層して構成したものである。
【００４２】
図に示すように、減衰部材３４をばね定数の異なる減衰部材Ａ３４１と減衰部材Ｂ３４２とを積層して構成する。減衰部材全体の上下方向および水平方向のばね定数は、上述した数式２で与えられ、減衰部材３４の上下方向および水平方向の共振周波数は、数式１で計算されるので、片持ち支持型ポンプの電動機の上下方向共振周波数ｆ１および水平方向共振周波数ｆ２から減衰部材３４のそれぞれの共振周波数ｆ０１およびｆ０２が離れるように減衰部材Ａ３４１と減衰部材Ｂ３４２とを選択することにより、共振時の振動振幅を減衰させることができる。
【００４３】
なお、図２では、減衰部材３４を減衰部材Ａと減衰部材Ｂの２層を積層して構成したが、３つ以上の減衰部材を積層して構成してもよい。
【００４４】
本実施例によれば、実施例1の効果に加えて、減衰部材をばね定数の異なる材料を積層して構成したので、材料の組み合わせにより減衰部材を容易に構成することができる。
【実施例３】
【００４５】
図３に本発明の実施例３のポンプを示し、図３（ａ）は実施例３の電動機片持ち支持型ポンプの正面図、図３（ｂ）は右側面図である。実施例３は、実施例１のポンプにおいて部分円形の保持部を設け、保持部に減衰部材を配置したものである。
【００４６】
図に示すように、支持部材３１の上端に電動機２１の外周に沿うような部分円形の保持部３５を取り付ける。そして、片持ち支持型ポンプの電動機２１と部分円形の保持部３５との間に、実施例１と同様の上下方向と水平方向の共振周波数において減衰効果を持つ減衰部材３４を配置する。
【００４７】
なお、図３では、保持部３５を部分円形の保持部としたがＶ字状のくさび型で構成してもよい。
【００４８】
本実施例によれば、実施例１の効果に加えて、部分円形の保持部上に減衰部材を取り付け、電動機を配置したので、減衰部材が電動機の外周に水平方向で当たり、水平方向に位置を規制して電動機を保持することができる。
【実施例４】
【００４９】
図４に本発明の実施例４のポンプを示し、図４（ａ）は実施例４の電動機片持ち支持型ポンプの正面図、図４（ｂ）は右側面図である。実施例４は、実施例３のポンプにおいて、部分円形の保持部上に減衰部材を設けるに代えて、減衰部材を支持部材と部分円形の保持部との間に配置したものである。
【００５０】
図に示すように、支持部材３１の上方に上下方向と水平方向の共振周波数において減衰効果を持つ減衰部材３４を取り付け、減衰部材３４に電動機２１の外周に沿うような部分円形の保持部３５が配されている。そして、電動機２１は部分円形の保持部３５上に載置される。
【００５１】
本実施例によれば、実施例１の効果に加えて、減衰部材上に部分円形の保持部を取り付け、電動機を配置したので、保持部が電動機の外周に水平方向で当たり、水平方向に位置を規制して電動機を保持することができる。
【実施例５】
【００５２】
図５に本発明の実施例５のポンプを示し、図５（ａ）は実施例５の電動機片持ち支持型ポンプの正面図、図５（ｂ）は右側面図である。実施例５は、実施例４のポンプにおいて、部分円形の保持部に代えて、Ｖ字状のくさび型の保持部としたものである。
【００５３】
図に示すように、支持部材３１の上方に上下方向と水平方向の共振周波数において減衰効果を持つ減衰部材３４を取り付け、減衰部材３４に電動機の外周に２カ所で接するようなＶ字状のくさび形の保持部３５が配されている。そして、電動機２１はくさび形の保持部３５上に載置される。
【００５４】
本実施例によれば、実施例１の効果に加えて、Ｖ字状のくさび形の保持部で電動機を保持するようにしたので、保持部が電動機に水平方向で当たり、電動機の水平方向の移動を押さえることができる。
【実施例６】
【００５５】
図６に本発明の実施例６のポンプを示し、図６（ａ）は実施例６の電動機片持ち支持型ポンプの正面図、図６（ｂ）は右側面図である。実施例６は、実施例２のポンプにおいて、電動機の回転軸に対して左右に対称に２つの支持部材を設け、それぞれの支持部材に減衰部材を設けたものである。
【００５６】
図に示すように、ベース１３上に、電動機２１の回転軸に対して左右に対称に２つの支持部材３１を設ける。そして、それぞれの支持部材３１に、上下方向と水平方向の共振周波数において減衰効果を持つ減衰部材３４を設ける。左右の減衰部材３４は、それぞれの減衰部材３４が電動機の回転軸を向くように、そして、左右の電動機接触部３２が略Ｖ字状となるように２つの支持部材３１に取り付けられている。
【００５７】
本実施例によれば、上下方向と水平方向の共振周波数において減衰効果を持つ２つの減衰部材を設けることにより、共振時の振動振幅を減衰させることができるとともに、略Ｖ字状となるように配置された複数の減衰部材で電動機を保持するようにしたので、保持部が電動機に水平方向で当たり、電動機の水平方向の移動を押さえることができる。
【符号の説明】
【００５８】
１１…羽根車
１２…ポンプケーシング
１３…ベース
２１…電動機
２２…フランジまたはブラケット
２３…端子箱
２４…固定部またはポンプケーシング接触部
２５…他端
２６…制御機器
３１…支持部材
３２…電動機接触部
３３…弾力性のある部材
３４…減衰部材
３４１…減衰部材Ａ
３４２…減衰部材Ｂ
３５…保持部
【図１】
2019002381.tif 000005
【図２】
2019002381.tif 000006
【図３】
2019002381.tif 000007
【図４】
2019002381.tif 000008
【図５】
2019002381.tif 000009
【図６】
2019002381.tif 000010
【図７】
2019002381.tif 000011
【図８】
2019002381.tif 000012
【図９】
2019002381.tif 000013
【図１０】
2019002381.tif 000014